(57)【要約】      （修正有）【課題】１つの占い／ゲームの内容に二重に対応し、多層的に占い／ゲームを行う占い器具を提供する。【解決手段】９枚ずつの種類カード群２等のそれぞれの群は、九星または八卦などの占いの内容／ゲームの内容に対応し、１つの種類カード群２の１〜９の番号が振られた９枚のカードそれぞれも、同様に九星または八卦などの占いの内容／ゲームの内容に対応している。よって、８１枚の占いカード（ゲームカード）１は、易占いなどの１つの占い／ゲームの内容に二重に対応し、多層的に占い／ゲームを行うことができる。さらに、この二重・他層の中の重複する代表カード１４は、占い／ゲームの重複によって、従来の易占いなどを踏襲しつつも、従来の占い／ゲームにはなかった占い／ゲームの内容・意味・結果を持たせることができる。【選択図】図１
0003167585.tif 000002
【実用新案登録請求の範囲】
【請求項１】
８１個の占い個体からなる占い器具であって、
この８１個の占い個体は９種類の種類個体群に分けられ、
この種類個体群のそれぞれは９個の序列個体からなり、
上記９種類の種類個体群は占いの内容に対応しており、
上記９個の序列個体は上記占いの内容と同じ占いの内容に対応していることを特徴とする占い器具。
【請求項２】
上記占いの内容は、八卦、八華、これらの中央またはこれに１つの内容が付加された九星または八華のいずれかに対応していることを特徴とする請求項１記載の占い器具。
【請求項３】
上記占いの内容は、風水、方位、五行または十二支に中央を付加した風水、方位、五行または十二支に対応していることを特徴とする請求項２記載の占い器具。
【請求項４】
上記９個の序列個体の中の１つは、この９個の序列個体全体を代表し、この代表の数値は上記９種類の種類個体群ごとに異なっていることを特徴とする請求項３記載の占い器具。
【請求項５】
上記９個の中の代表する個体は、上記９個の序列個体全体にわたる占いの内容と、この９個の序列個体個々の占いの内容とが重複して一致する個体であることを特徴とする請求項４記載の占い器具。
【請求項６】
上記８１個の占い個体は正逆または上下の区別が表記され、この正逆または上下の区別は占いの陰陽に対応していることを特徴とする請求項５記載の占い器具。
【請求項７】
上記８１個の序列個体のうち、上記それぞれ数値が異なっている代表を表す占い個体が、この８１個の序列個体の中央に位置する場合には、当該代表を表す占い個体のみ、上記正逆または上下の区別が表記されないことを特徴とする請求項６記載の占い器具。
【請求項８】
上記８１個の一部または全部の占い個体は、個体の内容が分からない状態で伏せて置かれ、このうち任意の１個または複数個を反転させ、この反転された占い個体が表す上記種類と序列によって、占いの内容が決定され、またはこれに加えて当該反転された占い個体の上記正逆または上下の区別によって占いの内容が決定されることを特徴とする請求項６または７記載の占い器具。
【請求項９】
上記占い個体はゲーム個体であり、
上記９種類の種類個体群はゲームの内容に対応しており、
上記９個の序列個体は上記ゲームの内容と同じゲームの内容に対応しており、
上記占いの陰陽はゲームの陰陽に対応しており、
上記占い器具はゲーム器具であることを特徴とする請求項１、２、３、４、５、６，７または８記載のゲーム器具。
【考案の詳細な説明】
【技術分野】
【０００１】
本考案は、占い器具及びゲーム器具に関し、特に占いにもゲームにも使用できる器具に関する。
【背景技術】
【０００２】
近年、四柱推命、星占いなどの占いの道具が種々考えられているし、ゲームの分野ではトランプ、花札、かるたなどが考えられてきている。具体的には以下の公報等に示されている。
【０００３】
【特許文献１】特開平９−３８３３６号公報
【特許文献２】登録実用新案第３０３９３８８号公報
【考案の開示】
【考案が解決しようとする課題】
【０００４】
本件考案は、上述した課題を解決するためになされたものであり、本考案の目的は、従来にない全く新しい占いの器具またはゲームの器具を提供すること等にある。
【課題を解決するための手段】
【０００５】
上記目的を達成するために、本考案の占い器具は、  ８１個の占い個体からなる占い器具であって、  この８１個の占い個体は９種類の種類個体群に分けられ、  この種類個体群のそれぞれは９個の序列個体からなり、  上記９種類の種類個体群は占いの内容に対応しており、  上記９個の序列個体は上記占いの内容と同じ占いの内容に対応している。
【考案の効果】
【０００６】
これにより、従来にない、斬新な占いまたはゲームを実行できる。また、９種類の種類個体群は占い／ゲームの内容に対応しており、  上記９個の序列個体は上記占い／ゲームの内容と同じ占い／ゲームの内容に対応しているので、占い器具／ゲーム器具は、１つの占い／ゲームの内容に二重に対応しており、多層的に占い／ゲームを行うことができ、単純ではなく複合的に占う／ゲームすることができる。
【０００７】
また、このような１つの占い／ゲームの内容に二重に対応し、多層的に占い／ゲームを行えば、この二重・他層の中の同じ意味を持つ重複個体（代表カード１４、２４、３４、４４、５４、６４、７４、８４、９４）が生じてくる。そうすると、このような占い／ゲームの重複に、従来の九星または八卦などを踏襲しつつも、従来の占い／ゲームにはなかった占い／ゲームの内容・意味・結果を持たせ、斬新な占い／ゲームを提供できる。
【考案を実施するための最良の形態】
【０００８】
（１）占いカード（ゲームカード）１
図１〜図９は、８１枚の占いカード（ゲームカード）１…からなる占い器具／ゲーム器具を示す。この８１枚の占いカード（ゲームカード）１…は、９種類の９枚ずつの種類カード群２…（１１、２１、３１、４１、５１、６１、７１、８１、９１）に分けられ、この種類カード群２…のそれぞれは「１」から「９」の序列を表している。
【０００９】
上記種類カード群２…（１１、２１、３１、４１、５１、６１、７１、８１、９１）の９枚ずつのそれぞれの群は、易占い、占いの内容／ゲームの内容に対応しており、この易占い、占いの内容／ゲームの内容は、八卦（はっけ）、八華（パーポア）、これらの中央またはこれに１つの内容が付加された九星（きゅうせい）または八華のいずれかに対応している。これらを総称して以下、九星または八華、九星（八華）、八華（九星）若しくは易占いという。八華は易の洛書を占いのカード化したものである。
【００１０】
また、１つの種類カード群２…（１１、２１、３１、４１、５１、６１、７１、８１、９１）の１〜９の番号が振られた９枚のカードそれぞれも、この九星または八華のいずれかに対応している。したがって、１〜９の種類カード群２…は、上記占いの内容／ゲームの内容と同じ占いの内容／ゲームの内容に対応している。
【００１１】
このような占いの内容は、風水、方位、五行または十二支に中央を付加した風水、方位、五行または十二支に対応している。八卦は後述する。九星（きゅうせい）（または九宮でもよい）は「一白」「二黒」「三碧」「四緑」「五黄」「六白」「七赤」「八白」「九紫」、または「水星」「土星」「木星」「木星」「土星」「金星」「金星」「土星」「火星」、または「北」「西南」「東」「東南」「中央」「西北」「西」「東北」「南」（方位）からなる。
【００１２】
この「九星」は「坎（かん）」「坤（こん）」「震（しん）」「巽（そん）」「中央（中／心）」「乾（けん）」「兌（だ）」「艮(こん／ごん)」「離（り）」、または「水」「地」「雷」「風」「中」「天」「沢」「山」「火」からなってもよい。
【００１３】
さらにこの「九星」は、「水」「土」「木」「木」「中」「金」「金」「土」「火」、または「木」「木」「火」「土」「土」「土」「金」「金」「水」（五行）、または「子（ね）」「丑寅（うしとら）」「卯（う）」「辰巳（たつみ）」「午（うま）」「未申（ひつじさる）」「酉（とり）」「戌亥（いぬい）」「中央」（十二支）からなってもよい。
【００１４】
このような占いの内容の結果から、吉凶が占われる／ゲームされる。この占われる／ゲームされる対象は、例えば、事業、人間関係、勝負、行動、心と体の相性、結婚と家庭、恋愛の出会い、恋愛の今後、職場と仕事、金運と財運、株式や土地などの財産売買などである。
【００１５】
上記「九星」を「八卦」にするときには、上記のうち、例えば「五黄」「土星」「中央」「中（中央／心）」「中」「中」「土」「中央」がそれぞれ除外される。上記占いカード（ゲームカード）１…は長方形状であり、縦向きと横向きが区別でき、この縦向きが、さらに後述する正向きとこれと反対向きの逆向きとで区別される。
【００１６】
上記９枚の種類カード群２…の中の１つの代表カード１４、２４、３４、４４、５４、６４、７４、８４、９４それぞれは、この９枚の種類カード群２…全体を代表し、この代表カードの数値は上記９種類の種類カード群２…ごとに異なっている。この詳しい数値は後述する。
【００１７】
図１０は８１枚の占いカード（ゲームカード）１…それぞれの占いの内容・意味・結果を示す。８１枚の占いカード（ゲームカード）１…は３×３＝９種類の種類カード群２…（１１、２１、３１、４１、５１、６１、７１、８１、９１）に分けられ、各種類カード群２…（１１、２１、３１、４１、５１、６１、７１、８１、９１）は３×３＝９枚ずつとなっている。
【００１８】
左上の９枚の種類カード群２…は巽（巽為風など）カード４１…（４／南東）であり、真上の９枚の種類カード群２…は離（離為火など）カード９１…（９／南）であり、右上の９枚の種類カード群２…は坤（坤為地など）カード２１…（２／南西）である。
【００１９】
中央の左の９枚の種類カード群２…は震（震為雷など）カード３１…（３／東）であり、中央の真ん中の９枚の種類カード群２…は中（中央／心など）カード５１…（５／中央）であり、中央の右の９枚の種類カード群２…は兌（兌為沢など）カード７１…（７／西）である。
【００２０】
左下の９枚の種類カード群２…は艮（艮為山など）カード８１…（８／北東）であり、真下の９枚の種類カード群２…は坎（坎為水など）カード１１…（１／北）であり、右下の９枚の種類カード群２…は乾（乾為天など）カード６１…（６／北西）である。
【００２１】
上記９枚の巽カード４１…（４／南東）（三つ葉図形４２）それぞれは、左上から右下に向かって、「巽為風（４）」「鼎（９）」「升（２）」「恆（３）」「巽中中（５）」「大過（７）」「蠱（８）」「井（１）」「▲女后▼（６）」（正しい文字は図１０を参照）の占いの内容・意味・結果に対応している。このうち、巽為風（４）は、当該巽カード４１…（４／南東）と重複・一致しており、これが後述する代表カード４４（リーダーカード）に対応している。
【００２２】
上記９枚の離カード９１…（９／南）それぞれは、左上から右下に向かって、「家人（４）」「離為火（９）」「明夷（２）」「豊（３）」「離中中（５）」「革（７）」「賁（８）」「既済（１）」「同人（６）」の占いの内容・意味・結果に対応している。このうち、離為火（９）は、当該離カード９１…（９／南）と重複・一致しており、これが後述する代表カード９４（リーダーカード）に対応している。
【００２３】
上記９枚の坤カード２１…（２／南西）それぞれは、左上から右下に向かって、「観（４）」「晉（９）」「坤為地（２）」「豫（３）」「坤中中（５）」「萃（７）」「▲剥▼（正しい文字は図１０を参照）（８）」「比（１）」「否（６）」の占いの内容・意味・結果に対応している。このうち、坤為地（２）は、当該坤カード２１…（２／南西）と重複・一致しており、これが後述する代表カード２４（リーダーカード）に対応している。
【００２４】
上記９枚の震カード３１…（３／東）それぞれは、左上から右下に向かって、「益（４）」「噬▲口盍▼（正しい文字は図１０を参照）（９）」「復（２）」「震為雷（３）」「震中中（５）」「随（７）」「頤（８）」「屯（１）」「天妄（６）」の占いの内容・意味・結果に対応している。このうち、震為雷（３）は、当該震カード３１…（３／東）と重複・一致しており、これが後述する代表カード３４（リーダーカード）に対応している。
【００２５】
上記９枚の中カード５１…（５／中央）それぞれは、左上から右下に向かって、「４」「９」「２」「３」「中央（５）」「７」「８」「１」「６」の占いの内容・意味・結果に対応している。このうち、中央（５）は、当該中カード５１…（５／中央）と重複・一致しており、これが後述する代表カード５４（リーダーカード）に対応している。
【００２６】
上記９枚の兌カード７１…（７／西）それぞれは、左上から右下に向かって、「中孚（４）」「▲目発▼（正しい文字は図１０を参照）（９）」「臨（２）」「帰妹（３）」「兌中中（５）」「兌為沢（７）」「損（８）」「節（１）」「覆（６）」の占いの内容・意味・結果に対応している。このうち、兌為沢（７）は、当該兌カード７１…（７／西）と重複・一致しており、これが後述する代表カード７４（リーダーカード）に対応している。
【００２７】
上記９枚の艮カード８１…（８／北東）それぞれは、左上から右下に向かって、「漸（４）」「旅（９）」「謙（２）」「小過（３）」「艮中中（５）」「咸（７）」「艮為山（８）」「蹇（１）」「遯（６）」の占いの内容・意味・結果に対応している。このうち、艮為山（８）は、当該艮カード８１…（８／北東）と重複・一致しており、これが後述する代表カード８４（リーダーカード）に対応している。
【００２８】
上記９枚の坎カード１１…（１／北）それぞれは、左上から右下に向かって、「渙（４）」「未済（９）」「師（２）」「解（３）」「坎中中（５）」「困（７）」「蒙（８）」「坎為水（１）」「訟（６）」の占いの内容・意味・結果に対応している。このうち、坎為水（１）は、当該坎カード１１…（１／北）と重複・一致しており、これが後述する代表カード１４（リーダーカード）に対応している。
【００２９】
上記９枚の乾カード６１…（６／北西）それぞれは、左上から右下に向かって、「小畜（４）」「大有（９）」「泰（２）」「大壮（３）」「乾中中（５）」「夬（７）」「大畜（８）」「需（１）」「乾為天（６）」の占いの内容・意味・結果に対応している。このうち、乾為天（６）は、当該乾カード６１…（６／北西）と重複・一致しており、これが後述する代表カード１１（リーダーカード）に対応している。
【００３０】
図１０において、種類カード群２…（１１、２１、３１、４１、５１、６１、７１、８１、９１）の各枠の左下欄にはこれら種類カード群２…に共通する八卦記号が示され、同じく左上欄にはこの種類カード群２…の中の個々のカードに対応した八卦記号が示されている。
【００３１】
このような８１枚の占いカード（ゲームカード）１…に対応した、この図１０に示される占い／ゲームの内容・意味・結果については、易、周易、洛書、その他の種々の解説書が出版されており、公知のものである。
【００３２】
（２）坎カード１１
図１は１番目の占いの内容またはゲームの内容、例えば「水」または「坎（かん）」を表し、八卦（はつけ）（八華）またはこれに中央または１つの内容が付加された九星（八華）の一つであり、１陽の２陰中に陥り険難なかたちとされ、「水」にかたどられ、方位では「北」「ね」に配される。
【００３３】
この図１の９枚の「坎（坎為水など）」の占い／ゲームの内容の坎カード１１…それぞれの左上隅には、「１」〜「９」の数値が印刷・シール転写・刻印等（以下印刷という）によって付されており、序列を表している。
【００３４】
この「１」〜「９」の序列の坎カード１１…は、１：「坎（かん）」、２：「坤（こん）」、３：「震（しん）」、４：「巽（そん）」、６：「乾（けん）」、７：「兌（だ）」、８：「艮(こん／ごん)」、９：「離（り）」の八卦（はつけ）（八華）に、５：「中（ちゅう）（中央／心）」の内容が付加された九星（八華）に対応しており、上述の占いの内容またはゲームの内容と同じ占いの内容またはゲームの内容に対応している。
【００３５】
この９枚の坎カード１１…それぞれの中央には、六方向に等角度に放射状に延びる黒色または灰色の雪の結晶の雪形図形（アスタリスク、雪形模様または雪形記号を含む）１２が印刷・転写・刻印等によって付されている。
【００３６】
この雪形図形１２は、上記「１」から「９」の数値の坎カード１１…に対応して、１つ、２つ、３つ、４つ、…、９つ、つまり単数または複数印刷されている。「１」の数値の坎カード１１の雪形図形１２は、他の数値の坎カード１１…の雪形図形１２に比べて大きくデザイン化されている。
【００３７】
この「１」の坎カード１１は代表カード１４（リーダーカード）となっている。この坎為水（坎）の「１」の代表カード１４は、上記９枚の坎カード１１…全体にわたる占いの内容と、この９枚の坎カード１１…個々の占いの内容とが重複して一致するカードとなっている。
【００３８】
この坎カード１１…の右下隅には陰陽図形（陰陽模様）１３が印刷されている。この陰陽図形１３は、例えば、中国の易学でいう、相反する性質をもつ陰・陽２種の気を示し、万物の化成はこの二気の消長によるとされる。また、日・春・南・昼・男は「陽」、月・秋・北・夜・女は「陰」とされる類をも表す。なお、この考え方は現代の男女平等の考え方とは矛盾はせず、古代哲学上、便宜上の区別である。
【００３９】
図１において、陰陽図形１３の上側が「陽」、下側が「陰」を示している。坎カード１１が図１の状態（正向き）で提示された時は「上向き」で「陽」が提示されたことを示し、坎カード１１が図１の状態と反対向き（逆向き）に提示された時は「下向き」で「陰」が提示されたことを示す。したがって、坎カード１１…には、上下の区別が表記され、この上下の区別は占いまたはゲームの陰陽に対応している。
【００４０】
（３）坤カード２１
図２は２番目の占いの内容またはゲームの内容、例えば「地」または「坤（こん）」を表し、八卦（はつけ）（八華）またはこれに中央または１つの内容が付加された九星（八華）の一つであり、陰の卦で、「地」にかたどられ、柔順で物を成長させる「徳」を表し、方位では「南西」「ひつじさる」に配される。
【００４１】
この図２の９枚の「坤（坤為地など）」の占い／ゲームの内容の坤カード２１…それぞれの左上隅には、「１」〜「９」の数値が印刷・シール転写・刻印等（以下印刷という）によって付されており、序列を表している。
【００４２】
この「１」〜「９」の序列の坤カード２１…は、１：「坎（かん）」、２：「坤（こん）」、３：「震（しん）」、４：「巽（そん）」、６：「乾（けん）」、７：「兌（だ）」、８：「艮(こん／ごん)」、９：「離（り）」の八卦（はつけ）（八華）に、５：「中（ちゅう）（中央／心）」の内容が付加された九星（八華）に対応しており、上述の占いの内容またはゲームの内容と同じ占いの内容またはゲームの内容に対応している。
【００４３】
この９枚の坤カード２１…それぞれの中央には、正方形状の黄色の方形図形（方形模様または方形記号を含む）２２が印刷・転写・刻印等によって付されている。
【００４４】
この方形図形２２は、上記「１」から「９」の数値の坤カード２１…に対応して、１つ、２つ、３つ、４つ、…、９つ、つまり単数または複数印刷されている。「２」の数値の坤カード２１の方形図形２２は、他の数値の坤カード２１…の方形図形２２に比べて大きくデザイン化されている。
【００４５】
この「２」の坤カード２１は代表カード２４（リーダーカード）となっている。この坤為地（坤）の「２」の代表カード２４は、上記９枚の坤カード２１…全体にわたる占いの内容と、この９枚の坤カード２１…個々の占いの内容とが重複して一致するカードとなっている。
【００４６】
この坤カード２１…の右下隅には陰陽図形（陰陽模様）２３が印刷されている。この陰陽図形２３は、例えば、中国の易学でいう、相反する性質をもつ陰・陽２種の気を示し、万物の化成はこの二気の消長によるとされる。また、日・春・南・昼・男は「陽」、月・秋・北・夜・女は「陰」とされる類をも表す。なお、この考え方は現代の男女平等の考え方とは矛盾はせず、古代哲学上、便宜上の区別である。
【００４７】
図２において、陰陽図形２３の上側が「陽」、下側が「陰」を示している。坤カード２１が図１の状態（正向き）で提示された時は「上向き」で「陽」が提示されたことを示し、坤カード２１が図１の状態と反対向き（逆向き）に提示された時は「下向き」で「陰」が提示されたことを示す。したがって、坤カード２１…には、上下の区別が表記され、この上下の区別は占いまたはゲームの陰陽に対応している。
【００４８】
（４）震カード３１
図３は３番目の占いの内容またはゲームの内容、例えば「雷」または「震（しん）」を表し、八卦（はつけ）（八華）またはこれに中央または１つの内容が付加された九星（八華）の一つであり、陰気が充塞した所に一陽発生してようやく活動しようとするかたちを意味し、「雷」にかたどられ、方位では「東」「う」に配される。
【００４９】
この図３の９枚の「震（震為雷など）」の占い／ゲームの内容の震カード３１…それぞれの左上隅には、「１」〜「９」の数値が印刷・シール転写・刻印等（以下印刷という）によって付されており、序列を表している。
【００５０】
この「１」〜「９」の序列の震カード３１…は、１：「坎（かん）」、２：「坤（こん）」、３：「震（しん）」、４：「巽（そん）」、６：「乾（けん）」、７：「兌（だ）」、８：「艮(こん／ごん)」、９：「離（り）」の八卦（はつけ）（八華）に、５：「中（ちゅう）（中央／心）」の内容が付加された九星（八華）に対応しており、上述の占いの内容またはゲームの内容と同じ占いの内容またはゲームの内容に対応している。
【００５１】
この９枚の震カード３１…それぞれの中央には、デフォルメされた「Ｓ」字状またはジグザグ状の青色のジグザグ図形（ジグザグ模様またはジグザグ記号を含む）３２が印刷・転写・刻印等によって付されている。
【００５２】
このジグザグ図形３２は、上記「１」から「９」の数値の震カード３１…に対応して、１つ、２つ、３つ、４つ、…、９つ、つまり単数または複数印刷されている。「３」の数値の震カード３１のジグザグ図形３２は、他の数値の震カード３１…のジグザグ図形３２に比べて大きくデザイン化されている。
【００５３】
この「３」の震カード３１は代表カード３４（リーダーカード）となっている。この震為雷（震）の「３」の代表カード３４は、上記９枚の震カード３１…全体にわたる占いの内容と、この９枚の震カード３１…個々の占いの内容とが重複して一致するカードとなっている。
【００５４】
この震カード３１…の右下隅には陰陽図形（陰陽模様）３３が印刷されている。この陰陽図形３３は、上記陰陽図形１３、２３と同じ意味をもち、説明は省略されるが、詳しくは上記陰陽図形１３、２３の説明が参照される。
【００５５】
（５）巽カード４１
図４は４番目の占いの内容またはゲームの内容、例えば「風」または「巽（そん）」を表し、八卦（はつけ）（八華）またはこれに中央または１つの内容が付加された九星（八華）の一つであり、従順卑下の「徳」を表す形を意味し、「風」にかたどられ、方位では「東南」「たつみ」に配される。
【００５６】
この図４の９枚の「巽（巽為風など）」の占い／ゲームの内容の巽カード４１…それぞれの左上隅には、「１」〜「９」の数値が印刷・シール転写・刻印等（以下印刷という）によって付されており、序列を表している。
【００５７】
この「１」〜「９」の序列の巽カード４１…は、１：「坎（かん）」、２：「坤（こん）」、３：「震（しん）」、４：「巽（そん）」、６：「乾（けん）」、７：「兌（だ）」、８：「艮(こん／ごん)」、９：「離（り）」の八卦（はつけ）（八華）に、５：「中（ちゅう）（中央／心）」の内容が付加された九星（八華）に対応しており、上述の占いの内容またはゲームの内容と同じ占いの内容またはゲームの内容に対応している。
【００５８】
この９枚の巽カード４１…それぞれの中央には、緑色の三つ葉（クラブ）の三つ葉図形（三つ葉模様または三つ葉記号を含む）４２が印刷・転写・刻印等によって付されている。
【００５９】
この三つ葉図形４２は、上記「１」から「９」の数値の巽カード４１…に対応して、１つ、２つ、３つ、４つ、…、９つ、つまり単数または複数印刷されている。「４」の数値の巽カード４１の三つ葉図形４２は、他の数値の巽カード４１…の三つ葉図形４２に比べて大きくデザイン化されている。
【００６０】
この「４」の巽カード４１は代表カード４４（リーダーカード）となっている。この巽の「４」の代表カード４４は、上記９枚の巽カード４１…全体にわたる占いの内容と、この９枚の巽カード４１…個々の占いの内容とが重複して一致するカードとなっている。
【００６１】
この巽カード４１…の右下隅には陰陽図形（陰陽模様）４３が印刷されている。この陰陽図形４３は、上記陰陽図形１３、２３、３３と同じ意味をもち、説明は省略されるが、詳しくは上記陰陽図形１３、２３、３３の説明が参照される。
【００６２】
（６）中カード５１
図５は５番目の占いの内容またはゲームの内容、例えば「中（ちゅう）」「中央」、「中心」、「央」または「心」を表し、八卦（はつけ）（八華）またはこれに中央または１つの内容が付加された九星（八華）の一つであり、この付加される中央を表し、万物、森羅万象の中央／中心を表す。
【００６３】
この図５の９枚の「中（ちゅう）（中央／心など）」の占い／ゲームの内容の中カード５１…それぞれの左上隅には、「１」〜「９」の数値が印刷・シール転写・刻印等（以下印刷という）によって付されており、序列を表している。
【００６４】
この「１」〜「９」の序列の中カード５１…は、１：「坎（かん）」、２：「坤（こん）」、３：「震（しん）」、４：「巽（そん）」、６：「乾（けん）」、７：「兌（だ）」、８：「艮(こん／ごん)」、９：「離（り）」の八卦（はつけ）（八華）に、５：「中（ちゅう）（中央／心）」の内容が付加された九星（八華）に対応しており、上述の占いの内容またはゲームの内容と同じ占いの内容またはゲームの内容に対応している。
【００６５】
この９枚の中カード５１…それぞれの中央には、灰色の三角形（トライアングル）の三角形図形（三角形模様または三角形記号を含む）５２が印刷・転写・刻印等によって付されている。
【００６６】
この三角形図形５２は、上記「１」から「９」の数値の中カード５１…に対応して、１つ、２つ、３つ、４つ、…、９つ、つまり単数または複数印刷されている。「５」の数値の中カード５１の三角形図形５２は、他の数値の中カード５１…の三角形図形５２に比べて大きくデザイン化され、さらに２つの三角形が重ねられて六方の星形となっている。
【００６７】
この「５」の中カード５１は代表カード５４（リーダーカード）となっている。この中（中央／心）の「５」の代表カード５４は、上記９枚の中カード５１…全体にわたる占いの内容と、この９枚の中カード５１…個々の占いの内容とが重複して一致するカードとなっている。
【００６８】
この中カード５１…の右下隅には陰陽図形（陰陽模様）５３が印刷されている。この陰陽図形５３は、上記陰陽図形１３、２３、３３、４３と同じ意味をもち、説明は省略されるが、詳しくは上記陰陽図形１３、２３、３３、４３の説明が参照される。
【００６９】
上記８１枚の占いカード（ゲームカード）１…のうち、この「５」の中央（中／心）カード５１にのみ、つまり８１枚の種類カード群２…全体の中央に位置する「５」の中央（中／心）カード５１にのみ、右下の数値「５」及び左下の陰陽図形（陰陽模様）５３が付されていない。
【００７０】
したがって、中カード５１…は９枚の中カード５１…の中央に位置することになるし、８１枚の種類カード群２…全体の中央に位置することにもなる。これにより、中央が重複して一致する場合のみ、占い／ゲームの陰陽に応じた占い／ゲームを除外して、中央が二重にならず占い／ゲームがぶれない。
【００７１】
また、上記それぞれ数値が異なっている代表カード１４、２４、３４、４４、５４、６４、７４、８４、９４のうち、当該代表カードがそれぞれの種類カード群２…の中央に位置する場合には、当該代表を表す代表カードのみ、上記陰陽図形１３、２３、３３、４３、５３、６３、７３、８３、９３が表記されないことになる。
【００７２】
（７）乾カード６１
図６は６番目の占いの内容またはゲームの内容、例えば「天」または「乾（けん）」を表し、八卦（はつけ）（八華）またはこれに中央または１つの内容が付加された九星（八華）の一つであり、陽の卦で、その徳は「健」とされ、「天」にかたどられる。方位では「北西」「いぬい」に配される。
【００７３】
この図６の９枚の「乾（乾為天など）」の占い／ゲームの内容の乾カード６１…それぞれの左上隅には、「１」〜「９」の数値が印刷・シール転写・刻印等（以下印刷という）によって付されており、序列を表している。
【００７４】
この「１」〜「９」の序列の乾カード６１…は、１：「坎（かん）」、２：「坤（こん）」、３：「震（しん）」、４：「巽（そん）」、６：「乾（けん）」、７：「兌（だ）」、８：「艮(こん／ごん)」、９：「離（り）」の八卦（はつけ）（八華）に、５：「中（ちゅう）（中央／心）」の内容が付加された九星（八華）に対応しており、上述の占いの内容またはゲームの内容と同じ占いの内容またはゲームの内容に対応している。
【００７５】
この９枚の乾カード６１…それぞれの中央には、虹色の丸形の丸虹形図形（丸虹形模様または丸虹形記号を含む）６２が印刷・転写・刻印等によって付されている。
【００７６】
この丸虹形図形６２は、上記「１」から「９」の数値の乾カード６１…に対応して、１つ、２つ、３つ、４つ、…、９つ、つまり単数または複数印刷されている。「６」の数値の乾カード６１の丸虹形図形６２は、他の数値の乾カード６１…の丸虹形図形６２に比べて大きく拡大されて扇状の虹のようにデザイン化されている。
【００７７】
この「６」の乾カード６１は代表カード６４（リーダーカード）となっている。この乾為天（乾）の「６」の代表カード６４は、上記９枚の乾カード６１…全体にわたる占いの内容と、この９枚の乾カード６１…個々の占いの内容とが重複して一致するカードとなっている。
【００７８】
この乾カード６１…の右下隅には陰陽図形（陰陽模様）６３が印刷されている。この陰陽図形６３は、上記陰陽図形１３、２３、３３、４３、５３と同じ意味をもち、説明は省略されるが、詳しくは上記陰陽図形１３、２３、３３、４３、５３の説明が参照される。
【００７９】
（８）兌カード７１
図７は７番目の占いの内容またはゲームの内容、例えば「沢」または「兌（だ）」を表し、八卦（はつけ）（八華）またはこれに中央または１つの内容が付加された九星（八華）の一つであり、自然界では凹の形で沢にかたどられ、人身では「口」であり、またすべての「穴」ともみられる。方位では「西」「とり」に配される。
【００８０】
この図７の９枚の「兌（兌為沢など）」の占い／ゲームの内容の兌カード７１…それぞれの左上隅には、「１」〜「９」の数値が印刷・シール転写・刻印等（以下印刷という）によって付されており、序列を表している。
【００８１】
この「１」〜「９」の序列の兌カード７１…は、１：「坎（かん）」、２：「坤（こん）」、３：「震（しん）」、４：「巽（そん）」、６：「乾（けん）」、７：「兌（だ）」、８：「艮(こん／ごん)」、９：「離（り）」の八卦（はつけ）（八華）に、５：「中（ちゅう）（中央／心）」の内容が付加された九星（八華）に対応しており、上述の占いの内容またはゲームの内容と同じ占いの内容またはゲームの内容に対応している。
【００８２】
この９枚の兌カード７１…それぞれの中央には、ピンク色の縦向きのひし形（ダイヤ）のひし形図形（ひし形模様またはひし形記号を含む）７２が印刷・転写・刻印等によって付されている。
【００８３】
このひし形図形７２は、上記「１」から「９」の数値の兌カード７１…に対応して、１つ、２つ、３つ、４つ、…、９つ、つまり単数または複数印刷されている。「７」の数値の兌カード７１のひし形図形７２は、他の数値の兌カード７１…のひし形図形７２に比べて大きく拡大されてデザイン化されている。
【００８４】
この「７」の兌カード７１は代表カード７４（リーダーカード）となっている。この兌為沢（兌）の「７」の代表カード７４は、上記９枚の兌カード７１…全体にわたる占いの内容と、この９枚の兌カード７１…個々の占いの内容とが重複して一致するカードとなっている。
【００８５】
この兌カード７１…の右下隅には陰陽図形（陰陽模様）７３が印刷されている。この陰陽図形７３は、上記陰陽図形１３、２３、３３、４３、５３、６３と同じ意味をもち、説明は省略されるが、詳しくは上記陰陽図形１３、２３、３３、４３、５３、６３の説明が参照される。
【００８６】
（９）艮カード８１
図８は８番目の占いの内容またはゲームの内容、例えば「山」または「艮（こん／ごん）」を表し、八卦（はつけ）（八華）またはこれに中央または１つの内容が付加された九星（八華）の一つであり、「山」にかたどられ、静止の徳を表す。方位では「北東」「うしとら」に配される。
【００８７】
この図８の９枚の「艮（艮為山など）」の占い／ゲームの内容の艮カード８１…それぞれの左上隅には、「１」〜「９」の数値が印刷・シール転写・刻印等（以下印刷という）によって付されており、序列を表している。
【００８８】
この「１」〜「９」の序列の艮カード８１…は、１：「坎（かん）」、２：「坤（こん）」、３：「震（しん）」、４：「巽（そん）」、６：「乾（けん）」、７：「兌（だ）」、８：「艮(こん／ごん)」、９：「離（り）」の八卦（はつけ）（八華）に、５：「中（ちゅう）（中央／心）」の内容が付加された九星（八華）に対応しており、上述の占いの内容またはゲームの内容と同じ占いの内容またはゲームの内容に対応している。
【００８９】
この９枚の艮カード８１…それぞれの中央には、茶色の剣形（スペード）のスペード形図形（スペード形模様またはスペード形記号を含む）８２が印刷・転写・刻印等によって付されている。
【００９０】
このスペード形図形８２は、上記「１」から「９」の数値の艮カード８１…に対応して、１つ、２つ、３つ、４つ、…、９つ、つまり単数または複数印刷されている。「８」の数値の艮カード８１のスペード形図形８２は、他の数値の艮カード８１…のスペード形図形８２に比べて大きく拡大されてデザイン化されている。
【００９１】
この「８」の艮カード８１は代表カード８４（リーダーカード）となっている。この艮為山（艮）の「８」の代表カード８４は、上記９枚の艮カード８１…全体にわたる占いの内容と、この９枚の艮カード８１…個々の占いの内容とが重複して一致するカードとなっている。
【００９２】
この艮カード８１…の右下隅には陰陽図形（陰陽模様）８３が印刷されている。この陰陽図形８３は、上記陰陽図形１３、２３、３３、４３、５３、６３、７３と同じ意味をもち、説明は省略されるが、詳しくは上記陰陽図形１３、２３、３３、４３、５３、６３、７３の説明が参照される。
【００９３】
（１０）離カード９１
図９は９番目の占いの内容またはゲームの内容、例えば「火」または「離（り）」を表し、八卦（はつけ）（八華）またはこれに中央または１つの内容が付加された九星（八華）の一つであり、「火」にかたどられ、方位では「南方」「うま」に配される。
【００９４】
この図９の９枚の「離（離為火など）」の占い／ゲームの内容の離カード９１…それぞれの左上隅には、「１」〜「９」の数値が印刷・シール転写・刻印等（以下印刷という）によって付されており、序列を表している。
【００９５】
この「１」〜「９」の序列の離カード９１…は、１：「坎（かん）」、２：「坤（こん）」、３：「震（しん）」、４：「巽（そん）」、６：「乾（けん）」、７：「兌（だ）」、８：「艮(こん／ごん)」、９：「離（り）」の八卦（はつけ）（八華）に、５：「中（ちゅう）（中央／心）」の内容が付加された九星（八華）に対応しており、上述の占いの内容またはゲームの内容と同じ占いの内容またはゲームの内容に対応している。
【００９６】
この９枚の離カード９１…それぞれの中央には、赤色の心臓状葉形（ハート）のハート形図形（ハート形模様またはハート形記号を含む）９２が印刷・転写・刻印等によって付されている。
【００９７】
このハート形図形９２は、上記「１」から「９」の数値の離カード９１…に対応して、１つ、２つ、３つ、４つ、…、９つ、つまり単数または複数印刷されている。「９」の数値の離カード９１のハート形図形９２は、他の数値の離カード９１…のハート形図形９２に比べて大きく拡大されてデザイン化されている。
【００９８】
この「９」の離カード９１は代表カード９４（リーダーカード）となっている。この離為火（離）の「９」の代表カード９４は、上記９枚の離カード９１…全体にわたる占いの内容と、この９枚の離カード９１…個々の占いの内容とが重複して一致するカードとなっている。
【００９９】
この離カード９１…の右下隅には陰陽図形（陰陽模様）９３が印刷されている。この陰陽図形９３は、上記陰陽図形１３、２３、３３、４３、５３、６３、７３、８３と同じ意味をもち、説明は省略されるが、詳しくは上記陰陽図形１３、２３、３３、４３、５３、６３、７３、８３の説明が参照される。
【０１００】
（１１）占い方法／ゲーム方法
まず上記８１枚の占いカード（ゲームカード）１…の全部または一部を裏向きにして机などの上に置きシャッフルする。そしてシャッフルした８１枚の占いカード（ゲームカード）１の中から数枚を引いて机の上に並べる。カードの並べ方には様々なものがあり、カードの並べ方はスプレッドと呼ばれる。
【０１０１】
このスプレッドには、以下のものがある。
「フォーチュン・オラクル法」：Ｖ字型に７枚、その中央に３枚。
「セブン・テーリング法」：７枚の予言。対人関係に向く。
「ケルト十字法」：悪魔の１０カード、大十字架占いともいう。
「ホロスコープ法」：黄道十二宮のように１２のジャンルに分けカードを配列。
「ヘキサグラム法」：六芒星（ヘキサグラム）のようにカードを配列。
「変形ヘキサグラム法」：ヘキサグラム法を１２枚に増やし、過去からの流れを明確にした展開法。
【０１０２】
「大三角の秘宝法」：３枚のカードを三角に配置、キーカードも１枚配置。
「二者択一展開法」：Ｖ字型に５枚配置。
「ファランクス法」：１６枚のカードを４×４で配置（小アルカナの人物カードのみを使用）。
「大ピラミッド法」：最下段１２枚、上に行くに従い１１、１０、…、最後は１枚と配置。
「グレゴリウス法」：１０枚を３段（月の日数による）、さらにその右横に１枚ずつ、さらにその右横に１枚ずつ配置。
「陰陽法」：２枚のカードを縦に配置。
【０１０３】
上記並べられた占いカード（ゲームカード）１…それぞれには、上述の図１０などに示すように意味があり、占いカード１…の絵柄がそれを表している。ここから占い／ゲームの内容・意味・結果を読み取る。占いカード１…が示す占い／ゲームの内容・意味・結果から、図１０に基づいて辞書的に意味を調べるだけでなく、占いカード１…に描かれている光景を基に内容・意味・結果を感じ取ることも必要である。
【０１０４】
上記並べられた占いカード１…それぞれには、及び並べられた占いカード１…に対応する図１０の表では、九星（八華）が二重に重ねられているので、この１つの占いカード１だけで、この二重の九星（八華）の内容・意味・結果を占うことができ、単純ではなく複合的に占う／ゲームすることができる。
【０１０５】
さらに代表カード１４、２４、３４、４４、５４、６４、７４、８４、９４が引かれた時には、二重の九星（八華）につき、重複する場合となり、占い／ゲームの内容・意味・結果をより強調したものとしたり、一段高い・強いものとしたりでき、従来のものにはない斬新な占い／ゲームの内容・意味・結果を持たせることができる。
【０１０６】
また、この代表カード１４、２４、３４、４４、５４、６４、７４、８４、９４のそれぞれの数値は異なっているので、それぞれの代表カード１４…に占い／ゲームの異なる内容・意味・結果を持たせることができて、上記強調・一段高い・強いを同じものにしないで済む。
【０１０７】
上述のように占いカード１…の内容・意味・結果は、上記陰陽図形１３、２３、３３、４３、５３、６３、７３、８３、９３に基づき、さらに正位置（上下の向きが正しい状態）・逆位置（上下逆さまの状態）で意味が変わってくる。正位置は占いカード１…の本来の意味を表し、逆位置は別の捉え方をする。原則として、正位置の意味は占いカード１…の陽の部分（例：木  地表の樹木）、逆位置の意味は陰の部分（例：木  根）として解釈がなされる。
【０１０８】
ただし正位置・逆位置の区別を行わない手法（近年新たな解釈で創作されたカードには、位置の正逆を採らない物もある）や占い師も存在し、占いカード１…の意味は占い師によって解釈が大きく異なる場合がある為、これが正解と言える解釈は存在しない。それだけに直観力やイマジネーションなど、占い師の資質が問われる。
【０１０９】
以上のような占い／ゲームの内容・意味・結果を、上記複数の占いカード１…の配列、及びそれぞれの占いカード１…の並べられた位置によって、さらに複雑に複合的に占っていくことができる。
【０１１０】
以上のような占い方法は、そのままそっくりゲーム方法としても成立する。したがって、上述の詳しく述べた占い方法は、そっくりゲーム方法に置き換えることも可能である。また、図１０の内容を、大吉、中吉、小吉、末吉、凶、大凶などのおみくじとして、占いによって選ばれた１枚の占いカード（ゲームカード）１…によって、大吉、中吉、小吉、末吉、凶、大凶などが選択されてもよい。
【０１１１】
（１２）他の実施の形態
本考案は、上記実施例に限定されず、種々変更可能である。例えば、占いカード（ゲームカード）１…は、方形状のカードのほか、正方形、多角形、楕円形、円形等のカードでもよいし、カードタイプのほか、方形板、円形板などの板体、立方体、直方体、角柱、円柱、角錐、角錐台、円錐、円錐台、球体、多面体等の立体でもよい。
【０１１２】
また、９枚の種類カード群２それぞれが９つの面を有する立体にされても良いし、８１枚の占いカード（ゲームカード）１…は８１の面を有する１つの立体にされても良い。この場合、このような立体を転がすだけで、占い／ゲームをできる。
【０１１３】
本占い器具／ゲーム器具は、コンピュータプログラムによっても実現可能である。この場合、乱数発生によって、占いカード（ゲームカード）１…のいずれかが１つまたは複数選ばれたり、所定の順番で複数選ばれたりする。
【０１１４】
８１枚の占いカード（ゲームカード）１…は、九星と八卦（八華）との組合せによる、９×８＝７２枚でもよいし、八卦（八華）と八卦（八華）の組合せによる、８×８＝６４枚でもよい。この場合でも、一部を除外して、１つの占い／ゲームの内容に二重に対応し、多層的に占い／ゲームを行うことができる。このほか、占いカード（ゲームカード（八華）１…は、８１枚以上でもよいし、８１枚以下でもよい。この場合、九星または八卦（八華）の一部が重複して増やされたり、減らされたりする。
【０１１５】
上述の占いカード（ゲームカード）１…、種類カード群２…、坎カード１１、雪形図形（雪形模様／雪形図形）１２、陰陽図形１３、代表カード１４、坤カード２１、方形図形（方形模様／方形図形）２２、陰陽図形２３、代表カード２４、震カード３１、ジグザグ図形（ジグザグ模様／ジグザグ記号）３２、陰陽図形３３、代表カード３４、巽カード４１、三つ葉図形（三つ葉模様／三つ葉記号）４２、陰陽図形４３、代表カード４４、中カード５１、三角形図形（三角形模様／三角形記号）５２、陰陽図形５３、代表カード５４、乾カード６１、丸虹形図形（丸虹形模様／丸虹形記号）６２、陰陽図形６３、代表カード６４、兌カード７１、ひし形図形（ひし形模様／ひし形記号）７２、陰陽図形７３、代表カード７４、艮カード８１、スペード形図形（スペード形模様／スペード形記号）８２、陰陽図形８３、代表カード８４、離カード９１、ハート形図形（ハート形模様／ハート形記号）９２、陰陽図形９３、代表カード９４の一部または全体は省略されてもよいし、その数が増えても減ってもよいし、その形状は任意に変更可能であり、均等の他の物に置き換えられてもよいし、これらの２つまたは３つ以上が合体または一体化されて兼用されてもよいし、これらの図形・形状・色・模様・記号の一部または全部はこれら以外の図形・形状・色・模様・記号に置き換えられても良い。
【０１１６】
これら他の実施の形態（実施例）において、当該実施形態（実施例）で記載されていないことは、他の実施形態（実施例）の記載されている内容が参照及び引用される。本願明細書及び実用新案登録請求の範囲においては、これらの複数の実施形態（実施例）にわたって、各部または一部を入れ替えた実施形態（実施例）も、上記各実施形態（実施例）として記載されているものである。
【０１１７】
（１３）他の考案の効果
［１］８１個の占い個体からなる占い器具であって、  この８１個の占い個体は９種類の種類個体群に分けられ、  この種類個体群のそれぞれは９個の序列個体からなり、  上記９種類の種類個体群は占いの内容に対応しており、  上記９個の序列個体は上記占いの内容と同じ占いの内容に対応していることを特徴とする占い器具。
【０１１８】
［２］上記占いの内容は、八卦、八華、これらの中央またはこれに１つの内容が付加された九星または八華のいずれかに対応していることを特徴とする請求項１記載の占い器具。これにより、従来の八卦、八華、九星の占い／ゲームに対して、二重・多層的に占い／ゲームを行うことができ、単純ではなく複合的に占う／ゲームすることができる。
【０１１９】
［３］上記占いの内容は、風水、方位、五行または十二支に中央を付加した風水、方位、五行または十二支に対応していることを特徴とする請求項２記載の占い器具。これにより、従来の風水、方位、五行または十二支の占い／ゲームに対して、二重・多層的に占い／ゲームを行うことができ、単純ではなく複合的に占う／ゲームすることができる。
【０１２０】
［４］上記９個の序列個体の中の１つは、この９個の序列個体全体を代表し、この代表の数値は上記９種類の種類個体群ごとに異なっていることを特徴とする請求項３記載の占い器具。これにより、二重・他層の中の同じ意味を持つ重複個体（代表カード）に、他にはない斬新な占い／ゲームの内容・意味・結果を持たせることができる。さらに、この重複は、種類個体群ごとに少しずつずれていくので、それぞれの重複個体（代表カード）に占い／ゲームの異なる内容・意味・結果を持たせ、重複を避けて、斬新な占い／ゲームを提供できる。
【０１２１】
［５］上記９個の中の代表する個体は、上記９個の序列個体全体にわたる占いの内容と、この９個の序列個体個々の占いの内容とが重複して一致する個体であることを特徴とする請求項４記載の占い器具。これにより、二重・他層の中の同じ意味を持つ重複個体（代表カード）に、従来の易占いなどを踏襲しつつも、従来の占い／ゲームにはなかった占い／ゲームの内容・意味・結果を持たせ、斬新な占い／ゲームを提供できる。
【０１２２】
［６］上記８１個の占い個体は正逆または上下の区別が表記され、この正逆または上下の区別は占いの陰陽に対応していることを特徴とする請求項５記載の占い器具。これにより、占い／ゲームの陰陽に応じてさらに多層的な占いを実行できる。
【０１２３】
［７］上記８１個の序列個体のうち、上記それぞれ数値が異なっている代表を表す占い個体が、この８１個の序列個体の中央に位置する場合には、当該代表を表す占い個体のみ、上記正逆または上下の区別が表記されないことを特徴とする請求項６記載の占い器具。これにより、中央が重複して一致する場合のみ、占い／ゲームの陰陽に応じた占い／ゲームを除外して、中央が二重にならず占い／ゲームがぶれない。
【０１２４】
［８］上記８１個の一部または全部の占い個体は、個体の内容が分からない状態で伏せて置かれ、このうち任意の１個または複数個を反転させ、この反転された占い個体が表す上記種類と序列によって、占いの内容が決定され、またはこれに加えて当該反転された占い個体の上記正逆または上下の区別によって占いの内容が決定されることを特徴とする請求項６または７記載の占い器具。これにより、占いの内容／ゲームの内容・意味・結果を決定できる。
【０１２５】
［９］上記占い個体はゲーム個体であり、  上記９種類の種類個体群はゲームの内容に対応しており、  上記９個の序列個体は上記ゲームの内容と同じゲームの内容に対応しており、  上記占いの陰陽はゲームの陰陽に対応しており、  上記占い器具はゲーム器具であることを特徴とする請求項１、２、３、４、５、６，７または８記載のゲーム器具。これにより、上述の占いの効果をゲームにもそのまま実現できる。
【産業上の利用可能性】
【０１２６】
１つの占い／ゲームの内容に二重に対応し、多層的に占い／ゲームを行う。図１〜図９の９枚ずつの種類カード群２…（１１、２１、３１、４１、５１、６１、７１、８１、９１）のそれぞれの群は、九星または八卦などの占いの内容／ゲームの内容に対応し、１つの種類カード群２…の１〜９の番号が振られた９枚のカードそれぞれも、同様に九星または八卦などの占いの内容／ゲームの内容に対応している。
【０１２７】
よって、８１枚の占いカード（ゲームカード）１…それぞれは、易占いなどの１つの占い／ゲームの内容に二重に対応し、多層的に占い／ゲームを行うことができる。さらに、この二重・他層の中の重複する代表カード１４、２４、３４、４４、５４、６４、７４、８４、９４は、占い／ゲームの重複によって、従来の易占いなどを踏襲しつつも、従来の占い／ゲームにはなかった占い／ゲームの内容・意味・結果を持たせ、斬新な占い／ゲームを提供できる。
【０１２８】
（著作権）
本件図面に示される８１枚の占いカード（ゲームカード）１…を著作・創作したのは、土平英愛（土平花恵）（愛知県知多郡武豊町字東長宗６０番地）である。この占いカード（ゲームカード）１…には著作権があり、本件実用新案権（特許権・意匠権）が消滅した後も前も、著作権存続期間内にあっては、何人もこの占いカード（ゲームカード）１…の全部または一部を無断使用・無断複製・無断上演・無断上映・無断放送（含むネット放送）・無断口述・無断展示・無断頒布・無断翻訳・無断翻案等できないものである。
【図面の簡単な説明】
【０１２９】
【図１】９枚の坎カード１１…を示す。
【図２】９枚の坤カード２１…を示す。
【図３】９枚の震カード３１…を示す。
【図４】９枚の巽カード４１…を示す。
【図５】９枚の中カード５１…を示す。
【図６】９枚の乾カード６１…を示す。
【図７】９枚の兌カード７１…を示す。
【図８】９枚の艮カード８１…を示す。
【図９】９枚の離カード９１…を示す。
【図１０】８１枚の占いカード（ゲームカード）１…それぞれの占いの内容を示す。
【符号の説明】
【０１３０】
１…占いカード（ゲームカード）、２…種類カード群、
１１…坎カード、
１２…雪形図形（雪形模様／雪形図形）、
１３…陰陽図形、１４…代表カード、
２１…坤カード、
２２…方形図形（方形模様／方形図形）、
２３…陰陽図形、２４…代表カード、
３１…震カード、
３２…ジグザグ図形（ジグザグ模様／ジグザグ記号）、
３３…陰陽図形、３４…代表カード、
４１…巽カード、
４２…三つ葉図形（三つ葉模様／三つ葉記号）、
４３…陰陽図形、４４…代表カード、
５１…中カード、
５２…三角形図形（三角形模様／三角形記号）、
５３…陰陽図形、５４…代表カード、
６１…乾カード、
６２…丸虹形図形（丸虹形模様／丸虹形記号）、
６３…陰陽図形、６４…代表カード、
７１…兌カード、
７２…ひし形図形（ひし形模様／ひし形記号）、
７３…陰陽図形、７４…代表カード、
８１…艮カード、
８２…スペード形図形（スペード形模様／スペード形記号）、
８３…陰陽図形、８４…代表カード、
９１…離カード、
９２…ハート形図形（ハート形模様／ハート形記号）、
９３…陰陽図形、９４…代表カード。
【図１０】
0003167585.tif 000003
【図１】
0003167585.tif 000004
【図２】
0003167585.tif 000005
【図３】
0003167585.tif 000006
【図４】
0003167585.tif 000007
【図５】
0003167585.tif 000008
【図６】
0003167585.tif 000009
【図７】
0003167585.tif 000010
【図８】
0003167585.tif 000011
【図９】
0003167585.tif 000012
【手続補正書】
【提出日】平成22年9月23日(2010.9.23)
【手続補正１】
【補正対象書類名】図面
【補正対象項目名】図１０
【補正方法】変更
【補正の内容】
【図１０】
0003167585.tif 000013
【手続補正書】
【提出日】平成22年10月31日(2010.10.31)
【手続補正１】
【補正対象書類名】実用新案登録請求の範囲
【補正対象項目名】全文
【補正方法】変更
【補正の内容】
【実用新案登録請求の範囲】
【請求項１】
８１個の占い個体からなる占い器具であって、
この８１個の占い個体は９種類の種類個体群に分けられ、
この種類個体群のそれぞれは９個の序列個体からなり、
上記９種類の種類個体群それぞれは９つの異なる占いの内容に対応しており、
上記９個の序列個体それぞれも、上記９つの異なる占いの内容と同じ９つの異なる占いの内容に対応していることを特徴とする占い器具。
【請求項２】
上記占いの内容は、八卦、八華、これらの中央またはこれに１つの内容が付加された九星または八華のいずれかに対応していることを特徴とする請求項１記載の占い器具。
【請求項３】
上記占いの内容は、風水、方位、五行または十二支に中央を付加した風水、方位、五行または十二支に対応していることを特徴とする請求項２記載の占い器具。
【請求項４】
上記９個の序列個体の中の１つは、この９個の序列個体全体を代表し、この代表の序列個体には数値が付され、この数値は上記９種類の種類個体群ごとに異なっていることを特徴とする請求項３記載の占い器具。
【請求項５】
上記９個の中の代表する個体は、上記９個の序列個体全体にわたる占いの内容と、この９個の序列個体個々の占いの内容とが重複して一致する個体であることを特徴とする請求項４記載の占い器具。
【請求項６】
上記８１個の占い個体は正逆または上下の区別が表記され、この正逆または上下の区別は占いの陰陽に対応していることを特徴とする請求項５記載の占い器具。
【請求項７】
上記８１個の序列個体のうち、上記それぞれ数値が異なっている代表を表す占い個体が、この８１個の序列個体の中央に位置する場合には、当該代表を表す占い個体のみ、上記正逆または上下の区別が表記されないことを特徴とする請求項６記載の占い器具。
【請求項８】
上記８１個の一部または全部の占い個体は、個体の内容が分からない状態で伏せて置かれ、このうち任意の１個または複数個を反転させ、この反転された占い個体が表す上記種類と序列によって、占いの内容が決定され、またはこれに加えて当該反転された占い個体の上記正逆または上下の区別によって占いの内容が決定されることを特徴とする請求項６または７記載の占い器具。
【請求項９】
８１個のゲーム個体からなるゲームに用いられる器具であって、
この８１個のゲーム個体は９種類の種類個体群に分けられ、
この種類個体群のそれぞれは９個の序列個体からなり、
上記９種類の種類個体群それぞれは９つの異なるゲームの内容に対応しており、
上記９個の序列個体それぞれも、上記９つの異なるゲームの内容と同じ９つの異なるゲームの内容に対応していることを特徴とするゲームに用いられる器具。
【手続補正書】
【提出日】平成22年11月24日(2010.11.24)
【手続補正１】
【補正対象書類名】実用新案登録請求の範囲
【補正対象項目名】全文
【補正方法】変更
【補正の内容】
【実用新案登録請求の範囲】
【請求項１】
８１個の占い個体の組合せからなる占い器具であって、この占い器具は物品であり、しかもこの物品たる占い器具を構成する８１個の占い個体も物品であり、
この８１個の占い個体は９種類の種類個体群に分けられ、
この種類個体群のそれぞれは９個の序列個体の組合せからなり、
上記９種類の種類個体群それぞれは９つの異なる占いの内容に対応しており、
上記９個の序列個体それぞれも、上記９つの異なる占いの内容と同じ９つの異なる占いの内容に対応していることを特徴とする占い器具。
【請求項２】
上記占いの内容は、八卦、八華、これらの中央またはこれに１つの内容が付加された九星または八華のいずれかに対応していることを特徴とする請求項１記載の占い器具。
【請求項３】
上記占いの内容は、風水、方位、五行または十二支に中央を付加した風水、方位、五行または十二支に対応していることを特徴とする請求項２記載の占い器具。
【請求項４】
上記９個の序列個体の中の１つは、この９個の序列個体全体を代表し、この代表の序列個体には数値が付され、この数値は上記９種類の種類個体群ごとに異なっていることを特徴とする請求項３記載の占い器具。
【請求項５】
上記９個の中の代表する個体は、上記９個の序列個体全体にわたる占いの内容と、この９個の序列個体個々の占いの内容とが重複して一致する個体であることを特徴とする請求項４記載の占い器具。
【請求項６】
上記８１個の占い個体は正逆または上下の区別が表記され、この正逆または上下の区別は占いの陰陽に対応していることを特徴とする請求項５記載の占い器具。
【請求項７】
上記８１個の序列個体のうち、上記それぞれ数値が異なっている代表を表す占い個体が、この８１個の序列個体の中央に位置する場合には、当該代表を表す占い個体のみ、上記正逆または上下の区別が表記されないことを特徴とする請求項６記載の占い器具。
【請求項８】
上記８１個の一部または全部の占い個体は、個体の内容が分からない状態で伏せて置かれ、このうち任意の１個または複数個を反転させ、この反転された占い個体が表す上記種類と序列によって、占いの内容が決定され、またはこれに加えて当該反転された占い個体の上記正逆または上下の区別によって占いの内容が決定されることを特徴とする請求項６または７記載の占い器具。
【請求項９】
８１個のゲーム個体の組合せからなるゲームに用いられる器具であって、このゲームに用いられる器具は物品であり、しかもこの物品たるゲームに用いられる器具を構成する８１個のゲーム個体も物品であり、
この８１個のゲーム個体は９種類の種類個体群に分けられ、
この種類個体群のそれぞれは９個の序列個体の組合せからなり、
上記９種類の種類個体群それぞれは９つの異なるゲームの内容に対応しており、
上記９個の序列個体それぞれも、上記９つの異なるゲームの内容と同じ９つの異なるゲームの内容に対応していることを特徴とするゲームに用いられる器具。
【手続補正書】
【提出日】平成23年1月12日(2011.1.12)
【手続補正１】
【補正対象書類名】実用新案登録請求の範囲
【補正対象項目名】全文
【補正方法】変更
【補正の内容】
【実用新案登録請求の範囲】
【請求項１】
８１個の占い個体の組合せからなる占い器具であって、この占い器具は物品であり、しかもこの物品たる占い器具を構成する８１個の占い個体も物品であり、
この８１個の占い個体は９種類の種類個体群に分けられ、
この種類個体群のそれぞれは異なる序列が印刷された９個の序列個体の組合せからなり、
上記９種類の種類個体群それぞれは９つの異なる占いの内容に対応しており、
上記９個の序列個体の９個の異なる序列それぞれも、上記９つの異なる占いの内容と同じ９つの異なる占いの内容に対応していることを特徴とする占い器具。
【請求項２】
上記占いの内容は、八卦、八華、これらの中央またはこれに１つの内容が付加された九星または八華のいずれかに対応していることを特徴とする請求項１記載の占い器具。
【請求項３】
上記占いの内容は、風水、方位、五行または十二支に中央を付加した風水、方位、五行または十二支に対応していることを特徴とする請求項２記載の占い器具。
【請求項４】
上記９個の序列個体の中の１つは、この９個の序列個体全体を代表し、この代表の序列個体には数値が付され、この数値は上記９種類の種類個体群ごとに異なっていることを特徴とする請求項３記載の占い器具。
【請求項５】
上記９個の中の代表する個体は、上記９個の序列個体全体にわたる占いの内容と、この９個の序列個体個々の占いの内容とが重複して一致する個体であることを特徴とする請求項４記載の占い器具。
【請求項６】
上記８１個の占い個体は正逆または上下の区別が表記され、この正逆または上下の区別は占いの陰陽に対応していることを特徴とする請求項５記載の占い器具。
【請求項７】
上記８１個の序列個体のうち、上記それぞれ数値が異なっている代表を表す占い個体が、この８１個の序列個体の中央に位置する場合には、当該代表を表す占い個体のみ、上記正逆または上下の区別が表記されないことを特徴とする請求項６記載の占い器具。
【請求項８】
上記８１個の一部または全部の占い個体は、個体の内容が分からない状態で伏せて置かれ、このうち任意の１個または複数個を反転させ、この反転された占い個体が表す上記種類と序列によって、占いの内容が決定され、またはこれに加えて当該反転された占い個体の上記正逆または上下の区別によって占いの内容が決定されることを特徴とする請求項６または７記載の占い器具。
【請求項９】
８１個のゲーム個体の組合せからなるゲームに用いられる器具であって、このゲームに用いられる器具は物品であり、しかもこの物品たるゲームに用いられる器具を構成する８１個のゲーム個体も物品であり、
この８１個のゲーム個体は９種類の種類個体群に分けられ、
この種類個体群のそれぞれは異なる序列が印刷された９個の序列個体の組合せからなり、
上記９種類の種類個体群それぞれは９つの異なるゲームの内容に対応しており、
上記９個の序列個体の９個の異なる序列それぞれも、上記９つの異なるゲームの内容と同じ９つの異なるゲームの内容に対応していることを特徴とするゲームに用いられる器具。
【手続補正書】
【提出日】平成23年3月2日(2011.3.2)
【手続補正１】
【補正対象書類名】実用新案登録請求の範囲
【補正対象項目名】全文
【補正方法】変更
【補正の内容】
【実用新案登録請求の範囲】
【請求項１】
８１個の占い個体の組合せからなる占い器具であって、この占い器具は物品であり、しかもこの物品たる占い器具を構成する８１個の占い個体も物品であり、
この８１個の占い個体は、異なる図形、形状、色、模様または記号が印刷された９種類の種類個体群に分けられ、
この種類個体群のそれぞれは異なる序列が印刷された９個の序列個体の組合せからなり、
上記９種類の種類個体群の９種類の異なる図形、形状、色、模様または記号それぞれは９つの異なる占いの内容に対応しており、
上記９個の序列個体の９個の異なる序列それぞれも、上記９つの異なる占いの内容と同じ９つの異なる占いの内容に対応していることを特徴とする占い器具。
【請求項２】
上記占いの内容は、八卦、八華、これらの中央またはこれに１つの内容が付加された九星または八華のいずれかに対応していることを特徴とする請求項１記載の占い器具。
【請求項３】
上記占いの内容は、風水、方位、五行または十二支に中央を付加した風水、方位、五行または十二支に対応していることを特徴とする請求項２記載の占い器具。
【請求項４】
上記９個の序列個体の中の１つは、この９個の序列個体全体を代表し、この代表の序列個体には数値が付され、この数値は上記９種類の種類個体群ごとに異なっていることを特徴とする請求項３記載の占い器具。
【請求項５】
上記９個の中の代表する個体は、上記９個の序列個体全体にわたる占いの内容と、この９個の序列個体個々の占いの内容とが重複して一致する個体であることを特徴とする請求項４記載の占い器具。
【請求項６】
上記８１個の占い個体は正逆または上下の区別が表記され、この正逆または上下の区別は占いの陰陽に対応していることを特徴とする請求項５記載の占い器具。
【請求項７】
上記８１個の序列個体のうち、上記それぞれ数値が異なっている代表を表す占い個体が、この８１個の序列個体の中央に位置する場合には、当該代表を表す占い個体のみ、上記正逆または上下の区別が表記されないことを特徴とする請求項６記載の占い器具。
【請求項８】
上記８１個の一部または全部の占い個体は、個体の内容が分からない状態で伏せて置かれ、このうち任意の１個または複数個を反転させ、この反転された占い個体が表す上記種類と序列によって、占いの内容が決定され、またはこれに加えて当該反転された占い個体の上記正逆または上下の区別によって占いの内容が決定されることを特徴とする請求項６または７記載の占い器具。
【請求項９】
８１個のゲーム個体の組合せからなるゲームに用いられる器具であって、このゲームに用いられる器具は物品であり、しかもこの物品たるゲームに用いられる器具を構成する８１個のゲーム個体も物品であり、
この８１個のゲーム個体は、異なる図形、形状、色、模様または記号が印刷された９種類の種類個体群に分けられ、
この種類個体群のそれぞれは異なる序列が印刷された９個の序列個体の組合せからなり、
上記９種類の種類個体群の９種類の異なる図形、形状、色、模様または記号それぞれは９つの異なるゲームの内容に対応しており、
上記９個の序列個体の９個の異なる序列それぞれも、上記９つの異なるゲームの内容と同じ９つの異なるゲームの内容に対応していることを特徴とするゲームに用いられる器具。